(57)【要約】【課題】高い測定精度を得ることができる偏芯測定装置を提供する。【解決手段】ベース２０に支柱を介して取り付けられたテーブル２２上に、被検レンズ１を保持するマウント部ｂを載置する。ベース２０にマウント部ｂを回転させる駆動部ｃを固定した。駆動部ｂとベース２０との間に防振ゴム１３を配置した。【選択図】図６
2008215925.tif 000002
【特許請求の範囲】
【請求項１】
ベースに支柱を介して取り付けられたテーブル上に載置され、被検レンズを保持するマウント部と、
前記ベースに固定され、前記マウント部を回転させる駆動部とを備え、
前記駆動部と前記ベースとの間に防振手段が配置されていることを特徴とする偏芯測定装置。
【請求項２】
前記マウント部は前記駆動部に対して所定の空間を介して前記テーブルに支持され、
前記駆動部に、前記マウント部に設けられた凹部に係合し、前記マウント部に回転力を伝達する係合部材が設けられていることを特徴とする請求項１記載の偏芯測定装置。
【請求項３】
前記係合部材と前記凹部とは前記マウント部の回転方向で線接触することを特徴とする請求項２記載の偏芯測定装置。
【発明の詳細な説明】
【技術分野】
【０００１】
この発明は偏芯測定装置に関する。
【背景技術】
【０００２】
カメラ等の精密光学機器には被写体像を結像するために複数のレンズで構成されたレンズ系が用いられ、各レンズは光軸上に配置される。各レンズの基準位置からの偏芯量の測定には偏芯測定装置が用いられる。この偏芯測定装置としては、軸駆動モータによって回転される回転ローラをレンズの外周に配置し、回転ローラでレンズを回転させてレンズの偏芯量を検出するものが知られている（下記公報参照）。
【特許文献１】特開２０００−１８６９７６号公報
【発明の開示】
【発明が解決しようとする課題】
【０００３】
上記偏芯測定装置では、駆動モータの振動がレンズに伝達される。例えば振動がレンズに伝達すると、レンズが振動し、レンズの偏芯量を正確に読み取ることが難しくなり、測定精度が低くなる。近年レンズの小型化、高倍率化が進み、レンズの偏芯量を高い測定精度で測定することが要求されるようになった。
【０００４】
この発明はこのような事情に鑑みてなされたもので、その課題は高い測定精度を得ることができる偏芯測定装置を提供することである。
【課題を解決するための手段】
【０００５】
上記課題を解決するため請求項１記載の発明は、ベースに支柱を介して取り付けられたテーブル上に載置され、被検レンズを保持するマウント部と、前記ベースに固定され、前記マウント部を回転させる駆動部とを備え、前記駆動部と前記ベースとの間に防振手段が配置されていることを特徴とする。
【０００６】
請求項２に記載の発明は、請求項１記載の偏芯測定装置において、前記マウント部は前記駆動部に対して所定の空間を介して前記テーブルに支持され、前記駆動部に、前記マウント部に設けられた凹部に係合し、前記マウント部に回転力を伝達する係合部材が設けられていることを特徴とする。
【０００７】
請求項３に記載の発明は、請求項２記載の偏芯測定装置において、前記係合部材と前記凹部とは前記マウント部の回転方向で線接触することを特徴とする。
【発明の効果】
【０００８】
この発明によれば、高い測定精度を得ることができる。
【発明を実施するための最良の形態】
【０００９】
以下、この発明の実施の形態を図面に基づいて説明する。
【００１０】
図１はこの発明の一実施形態に係る偏芯測定装置の斜視図である。
【００１１】
この偏芯測定装置の偏芯測定装置本体１００はビス４１によって台枠４０に固定されている。台枠４０の各脚４２の下端にはアジャスタボルト４３とキャスタ４４とが設けられている。
【００１２】
図２は偏芯測定装置本体の斜視図である。
【００１３】
偏芯測定装置本体１００は観察部ａとマウント部ｂと駆動部ｃとチャート部ｄとを備えている。
【００１４】
観察部ａはＣＣＤカメラ１６と接眼レンズ１５とコリメータレンズ１４とを備えている。ＣＣＤカメラ１６、接眼レンズ１５及びコリメータレンズ１４はそれぞれテーブル２２の一端に固定された支柱４５に上下方向へ移動可能に取り付けられている。
【００１５】
チャート部ｄは光源２４とブラケット（図示せず）によって支持された十字線チャート（図示せず）とを備えている。十字線チャートは被検レンズ１と被検レンズ１に入射させる光を発する光源２４との間に配置されている。光源２４は例えばＬＥＤやハロゲンランプである。
【００１６】
光源２４に対し、コンバージョンレンズ４６、コリメータレンズ１４、ＣＣＤカメラ１６等は同一光軸上に配置されている。
【００１７】
光源２４から出射された光は十字線チャートを通り、コンバージョンレンズ４６で被検レンズ１の焦点位置に集光される。被検レンズ１を透過して平行となった光はコリメータレンズ１４で集光される。集光された光はビームスプリッタ４７によってＣＣＤカメラ１６と接眼レンズ１５とに分割される。接眼レンズ１５は拡大された十字線チャートの像を拡大観察することができる。
【００１８】
被検レンズ１を回転させると、十字線チャートの像が回転し、その回転の変位量を読み取ることによって被検レンズ１の偏芯量を測定することができる。
【００１９】
なお、例えばＣＣＤカメラ１６側にレーザ光源（図示せず）を配置し、レーザ光源の出射口から出射されたレーザ光がテーブル２２に置かれた反射板（図示せず）で反射されてレーザ光源の出射口へ戻るように調整する。このようにすることで、レーザ光の光軸Ｌ（図６参照）をテーブル２２を構成するリングプレート２２ｂ（図３参照）に直交させることができる。
【００２０】
図３はマウント部と駆動部とをテーブルへ取り付けた状態を示す斜視図である。
【００２１】
マウント部ｂはテーブル２２に載置されている。マウント部ｂは被検レンズユニット２７とマウント治具２３とを備えている。テーブル２２はテーブル本体２２ａとリングプレート２２ｂとで構成されている。リングプレート２２ｂはビス２２ｃでテーブル本体２２ａに固定されている。テーブル本体２２ａはアルミニウムで形成され、リングプレート２２ｂは鉄で形成されている。なお、テーブル２２はテーブル本体２２ａとリングプレート２２ｂとを同一材料で一体に形成してもよい。
【００２２】
マウント治具２３の上端及び下端には外方へ延びるフランジ部２３ａ，２３ｂが形成されている。フランジ部２３ｂの下面はリングプレート２２ｂの上面に載置されている。フランジ部２３ｂの下面、リングプレート２２ｂの上面にはそれぞれ研磨、バフ仕上げ、表面処理が施されている。表面粗さＲａは３μｍ程度である。
【００２３】
また、テーブル２２にはテンショナ５０が設けられている。テンショナ５０はばね（図示せず）とローラ５１とレバー５２とを有する。テンショナ５０はレバー５２を倒すことによってばねを介してマウント治具２３を被検レンズユニット２７の中心に向けて付勢する。リングプレート２２ｂには位置決めピン１７，１８が取り付けられ、位置決めピン１７，１８とローラ５１とによってマウント治具２３が位置決めされる。
【００２４】
テンショナ５０はテーブル２２に固定されたクサビ状部材５３を介してテーブル２２に対して斜めに取り付けられている。そのため、マウント治具２３（被検レンズ１）にはテンショナ５０によってテーブル２２に平行な力と直交する方向の力が加わる。テーブル２２に直交する方向の分力によってマウント治具２３（被検レンズ１）の浮き上がりが防止されている。なお、マウント治具２３に加えられる力は水平方向の分力の方が垂直方向の分力より大きくなるように、テーブル２２に対する傾きが小さい（例えば５度程度）クサビ状部材５３が用いられている。
【００２５】
マウント部ｂを回転させる駆動部ｃは支柱２１を介してテーブル２２に取り付けられたベース２０に防振ゴム（防振手段）１３を介して固定されている。
【００２６】
図４はマウント部と駆動部との斜視図、図５はその分解斜視図、図６はマウント部と駆動部との結合関係を説明する断面図である。
【００２７】
駆動部ｃはモータ８と平歯車７と平歯車６と駆動軸５とベアリング９，１０とハウジング１１とブラケット１２と防振ゴム１３とベース２０とを備えている。
【００２８】
環状の平歯車６はモータ８の回転軸に取り付けられた平歯車７と噛み合う。平歯車６は駆動軸５にビス５ａによって固定されている。なお、モータ８の回転角度はエンコーダ（図示せず）を用いて検出される。
【００２９】
駆動軸５は中空状であり、その外周面はベアリング９，１０を介してハウジング１１に支持されている。ハウジング１１の外周面にはビス１２ａによって複数のブラケット１２が取り付けられている。
【００３０】
駆動軸５の上端には１８０度の間隔をおいてピン（係合部材）４が設けられている。ピン４はマウント治具２３に形成された凹部２９に係合している。ピン４の上面と凹部２９の底面とは隙間を介して対向している。マウント部ｂを回転させるとき、ピン４と凹部２９とは線接触する。マウント部ｂと駆動部ｃとの間には空間ｓが形成されており、被検レンズユニット２７の平行度（被検レンズ１の中心軸と光軸Ｌとの平行の度合い）、偏芯量（被検レンズ１の中心軸と光軸Ｌとのずれ量）はフランジ部２３ｂの下面とリングプレート２２ｂの上面とで決まる。駆動軸５は毎分３〜３０回転する。
【００３１】
防振ゴム１３は、円筒状であり、両端部におねじが形成されたボルト１３ｂとこのボルト１３ｂの両端部に螺合されたナット１３ａとでブラケット１２とベース２０との間に固定されている。使用される防振ゴム１３は駆動部ｃの重量と振動周波数に基いて決められる。
【００３２】
なお、マウント部ｂの上端のフランジ部２３ａの外周面は後述するテンショナ５０のローラ５１と線接触するように斜面となっている。
【００３３】
次に、この偏芯測定装置の使用方法を説明する。
【００３４】
図７は偏芯測定装置の使用方法の一例を説明するフローチャートである。Ｓ１〜Ｓ６は各処理ステップを示す。このフローチャートは１つの被検レンズユニットＡ（レンズユニット２７に対応する）の偏芯量を測定する場合の処理手順を示す。
【００３５】
まず、被検レンズユニットＡをマウント部ｂにセットする（Ｓ１）。
【００３６】
次に、テンショナー５０のレバー５２を倒してローラ５１でマウント部ｂを付勢し、マウント部ｂを位置決めピン１７，１８に押し付ける（Ｓ２）。これによって被検レンズユニットＡが位置決めされる。
【００３７】
その後、十字チャートを接眼レンズ１５（又はパソコンのモニタ（図示せず））で確認する（Ｓ３）。
【００３８】
次に、モータ８を駆動してマウント部ｂを３６０度回転させる（Ｓ４）。モータ８の回転力は平歯車７、平歯車６、駆動軸５、ピン４、凹部２９を介してマウント部ｂに伝達される。
【００３９】
マウント部ｂを回転させているときに最大となる被検レンズユニットＡの偏芯量を測定する（Ｓ５）。
【００４０】
次に、次の被検レンズユニットの偏芯量を測定するために、マウント部ｂを３６０度回転させる前の位置（始点）に戻す（原点出し）（Ｓ６）。
【００４１】
図８は偏芯測定装置の使用方法の他の例を説明するフローチャートである。Ｓ１１〜Ｓ２１は各処理ステップを示す。このフローチャートは２つの被検レンズユニットＡ，Ｂの偏芯量を測定する場合の処理手順を示す。
【００４２】
まず、被検レンズユニットＡをマウント部ｂにセットする（Ｓ１１）。
【００４３】
次に、テンショナー５０のレバーを倒してローラ５１でマウント部ｂを付勢し、マウント部ｂを位置決めピン１７，１８に押し付ける（Ｓ１２）。これによって被検レンズユニットＡが位置決めされる。
【００４４】
その後、十字チャートを接眼レンズ１５（又はパソコンのモニタ（図示せず））で確認する（Ｓ１３）。
【００４５】
次に、モータ８を駆動してマウント部ｂを３６０度回転させる（Ｓ１４）。
【００４６】
マウント部ｂを回転させているときに最大となる被検レンズユニットＡの偏芯量を測定する（Ｓ１５）。
【００４７】
次に、被検レンズユニットＢの偏芯量を測定するために、マウント部ｂを３６０度回転させる前の位置（始点）に戻す（原点出し）（Ｓ１６）。
【００４８】
その後、被検レンズユニットＢをマウント部ｂにセットする（Ｓ１７）。
【００４９】
次に、十字チャートを接眼レンズ１５（又はパソコンのモニタ）で確認する（Ｓ１８）。
【００５０】
その後、モータ８を駆動してマウント部ｂを３６０度回転させる（Ｓ１９）。
【００５１】
その後、マウント部ｂを回転させているときに最大となる被検レンズユニットＢの偏芯量を測定する（Ｓ２０）。
【００５２】
次に、次の被検レンズユニットの偏芯量を測定するために、マウント部ｂを３６０度回転させる前の位置（始点）に戻す（原点出し）（Ｓ２１）。
【００５３】
この実施形態によれば、駆動部ｃとベース２０との間に防振ゴム１３が配置され、駆動部ｃで発生した振動は防振ゴム１３で吸収されるので、駆動部ｃの振動がマウント部ｂ、観察部ａ、チャート部ｄに伝達され難く、被検レンズの偏芯量を正確に読み取ることができ、偏芯量等の高い測定精度を得ることができる。また、マウント部ｂが回転するとき、ピン４と凹部２９とは線接触するので、駆動部ｃに発生した振動はマウント部ｂに伝達され難く、被検レンズの偏芯量等のより高い測定精度を得ることができる。更に、マウント部ｂと駆動部ｃとの間に空間ｓが形成されているので、駆動部ｃに対するマウント部ｂの平行度等をフランジ部２２ｂの下面とリングプレート２２ｂの上面とだけで決めることができ、駆動軸５、ベアリング９，１０、ハウジング１１等の製造誤差の影響を受けないので、平行度等をとり易い。
【図面の簡単な説明】
【００５４】
【図１】図１はこの発明の一実施形態に係る偏芯測定装置の斜視図である。
【図２】図２は偏芯測定装置本体の斜視図である。
【図３】図３はマウント部と駆動部とをのテーブルへ取り付けた状態を示す斜視図である。
【図４】図４はマウント部と駆動部との斜視図である。
【図５】図５はマウント部と駆動部との分解斜視図である。
【図６】図６はマウント部と駆動部との結合関係を説明する断面図である。
【図７】図７は偏芯測定装置の使用方法の一例を説明するフローチャートである。
【図８】図８は偏芯測定装置の使用方法の他の例を説明するフローチャートである。
【符号の説明】
【００５５】
１：被検レンズ、４：ピン（係合部材）、１３：防振ゴム（防振手段）、１４：ベース、２１：支柱、２２：テーブル、２９：凹部、ｂ：マウント部、ｃ：駆動部、ｓ：空間。
【図１】
2008215925.tif 000003
【図２】
2008215925.tif 000004
【図３】
2008215925.tif 000005
【図４】
2008215925.tif 000006
【図５】
2008215925.tif 000007
【図６】
2008215925.tif 000008
【図７】
2008215925.tif 000009
【図８】
2008215925.tif 000010